(57)【要約】    【課題】  回転センタのラビリンスシールの密封効果を高める。    【解決手段】  回転センタはセンタ軸１を外周筒状体６に軸受けし、センタ軸と外周筒状体の間にラビリンスシール１１を取り付けている。ラビリンスシールは、シール静止環１２を外周筒状体に、シール回転環２１をセンタ軸に固定し、それらを前後に組み合わせてそれらの間の隙間をラビリンス通路３１にしている。ラビリンス通路は前端を大気に開口して外側開口にし、外側開口をシール回転環の前面外周縁に隣接している。回転センタの使用中、シール回転環の前面に付着した冷却水や切り屑が、回転中のシール回転環に連れて回転する一方、遠心力を受けてシール回転環の前面外周縁に向かって流れる。シール回転環の前面は、外周縁に向かう冷却水や切り屑の流れが登る円錐面の斜面、登り坂４６を形成し、登り坂を登り終えた冷却水や切り屑の流れがシール回転環から離れる構成にしている。【選択図】  図２
2018108614.tif 000002
【特許請求の範囲】
【請求項１】
センタ軸は、外周筒状体内に同心状に軸受けし、尖端部を外周筒状体の前側に突出し、外周筒状体の前端との間にラビリンスシールを嵌め込んで取り付けている回転センタにおいて、
ラビリンスシールは、シール静止環を外周筒状体の前端に嵌め込んで固定し、シール回転環をセンタ軸に嵌合して固定し、シール回転環とシール静止環を前後に配置し、
シール回転環は、周溝部を後向きに開口し、周溝部の外周側を外周壁部に、周溝部の内周側を内周壁部にし、
シール静止環は、周溝部を前向きに開口し、周溝部の外周側を外周壁部に、周溝部の内周側を内周壁部にし、
シール回転環の周溝部には隙間を設けてシール静止環の内周壁部を挿入し、シール静止環の周溝部には隙間を設けてシール回転環の外周壁部を挿入し、それらの隙間で、軸方向通路と径方向通路を交互に接続して複数回折れ曲がるラビリンス通路を形成し、
ラビリンス通路は、前端を大気に開口して外側開口にし、後端を外周筒状体内の軸受の隙間に連通して内側開口にし、外側開口をシール回転環の前面の外周縁に隣接しており、
回転センタの使用中、シール回転環の前面に付着した冷却水や切り屑が、回転中のシール回転環に連れて回転する一方、その回転による遠心力を受けてシール回転環の前面の外周縁に向かって流れるラビリンスシールであって、
シール回転環の前面は、遠心力を受けて外周縁に向かう冷却水や切り屑の流れが登る登り坂を形成し、登り坂を登り終えた冷却水や切り屑の流れがシール回転環から離れる構成にしていることを特徴とする回転センタのラビリンスシール。
【請求項２】
登り坂は、シール回転環の前面に同心状に形成した円錐面の斜面にし、
円錐面の斜面は、前側に向かって拡大し、外周縁を内周縁より前側に配置していることを特徴とする請求項１に記載の回転センタのラビリンスシール。
【請求項３】
シール回転環は外周壁部の外周面の前端部に鐶部を同心状に突出し、シール静止環は外周壁部の内周面の前端部に段状凹部を同心状に形成し、
鐶部は段状凹部に隙間を設けて挿入し、その隙間で最外周前端の軸方向通路と最外周の径方向通路を形成し、
最外周前端の軸方向通路は、前端をラビリンス通路の外側開口にしていることを特徴とする請求項１又は２に記載の回転センタのラビリンスシール。
【請求項４】
ラビリンス通路の外側開口は、開口方向に向かって拡大していないことを特徴とする請求項１、２又は３に記載の回転センタのラビリンスシール。
【請求項５】
前端を外側開口にする軸方向通路は、前端の外側開口を含めて、流路の断面積を均等にしていることを特徴とする請求項１〜４のいずれかに記載の回転センタのラビリンスシール。
【発明の詳細な説明】
【技術分野】
【０００１】
本発明は、旋盤や円筒研削盤などの旋削工作機において旋削対象物を支持する回転センタにおいて、外周筒状体内に軸受けしたセンタ軸と外周筒状体との間を密封するラビリンスシールに関する。
【背景技術】
【０００２】
この種の回転センタは、図１１に示すように、センタ軸１を外周筒状体６内に同心状に配置して径方向と軸方向に軸受けしている。センタ軸１は、尖端部２を外周筒状体６の前側に突出している。外周筒状体６の前端とセンタ軸１との間には、アキシアルラビリンスシール７１を嵌め込んで取り付けている。ラビリンスシール７１は、シール静止環７２とシール回転環８１との間の隙間をラビリンス通路９１にしている。ラビリンス通路９１は、前端を大気に開口して外側開口９３に、後端を外周筒状体６内の軸受の外輪と内輪の間の隙間に連通して内側開口にしている。
詳細には、図１１〜図１３に示すように、外周筒状体６は、前部の径を拡大して軸受嵌込部７を形成している。軸受嵌込部７とセンタ軸１との間には、複数の玉軸受８、９を嵌め込んで取り付けている。後端の玉軸受８は、スラスト軸受にしている。前側の複数の玉軸受９は、アンギュラ軸受にしている。
【０００３】
軸受嵌込部７の開口端部には、シール静止環７２を嵌め込んで固定している。センタ軸１には、シール回転環８１を嵌合して固定している。シール静止環７２は、アンギュラ軸受９の前隣に配置している。シール回転環８１は、シール静止環７２の前隣に配置している。
シール静止環７２は、断面形状を概略コの字形にして周溝部７３を前向きに開口している。そして、周溝部７３の外周側を外周壁部７５に、内周側を内周壁部７６にしている。シール回転環８１は、断面形状をコの字形にして周溝部８２を後向きに開口している。そして、周溝部８２の外周側を外周壁部８４に、内周側を内周壁部８５にしている。
シール回転環８１とシール静止環７２は、前後に同心状に組み合わせている。シール回転環の周溝部８２には、隙間を設けてシール静止環の内周壁部７６を挿入している。シール静止環の周溝部７３には、隙間を設けてシール回転環の外周壁部８４を挿入している。それらの隙間で、軸方向通路と径方向通路を交互に接続して複数回折れ曲がったラビリンス通路９１を形成している。
シール回転環の外周壁部８４の外周面とシール静止環の外周壁部７５の内周面との間の隙間は、ラビリンス通路の最外周の軸方向通路９２を構成している。最外周の軸方向通路９２は、前端の開口をラビリンス通路の外側開口９３にしている。外側開口９３は、シール回転環８１の前面の外周縁に隣接している。
【先行技術文献】
【特許文献】
【０００４】
【特許文献１】特開２００１−９６４０２号公報
【発明の概要】
【発明が解決しようとする課題】
【０００５】
［課  題］
上記のような回転センタは、旋削工作機において旋削対象物を支持して使用すると、旋削対象物の回転に従ってセンタ軸１が回転する。そして、ウエットカットであれば旋削の冷却水と切り屑、ドライカットであれば切り屑がセンタ軸１の突出前部、ラビリンスシール７１や外周筒状体６の前部、軸受嵌込部７に降り懸る。旋削中、冷却水や切り屑がラビリンスシール７１の前面に当たる。
回転センタは、使用中、冷却水や切り屑がラビリンスシール通路９１を通過して外周筒状体６内の軸受９に浸入することがある。ラビリンスシール７１は、密封効果が十分であるとは言い難い。密封効果を高めたい。
【０００６】
［着  眼］
回転センタの使用中、冷却水や切り屑がラビリンスシール通路９１を通り抜ける現象は、次のように分析する。
シール回転環８１の前面に付着した冷却水や切り屑は、回転中のシール回転環８１に連れて回転する。一方、その回転による遠心力を受けてシール回転環８１の前面の外周縁に向かって流れ、シール回転環８１の前面の外周縁に隣接するラビリンス通路の外側開口９３に到達する。そして、外側開口９３に流入する。ラビリンス通路の外側開口９３に流入した冷却水や切り屑は、ラビリンス通路９１の軸方向通路と径方向通路を順次流れてラビリンス通路９１の内側開口から流出する。
【０００７】
＜第１構想＞
シール回転環の前面に付着した冷却水や切り屑の流れがシール回転環の前面の外周縁、ラビリンス通路の外側開口に到達し難くする。
そのため、シール回転環の前面は、外周縁に向かう冷却水や切り屑の流れが登る円錐面の斜面、登り坂を形成する。そして、登り坂を登り終えた冷却水や切り屑の流れがシール回転環から離れる構成にする。シール回転環の前面に付着した冷却水や切り屑は、シール回転環の回転速度が高いため、大きな遠心力を受けて早い速度で登り坂を流れる。登り坂を登り終えると、その時の流れの延長方向、登り坂の延長方向に飛び出す。即ち、シール回転環から離れる。ラビリンス通路の外側開口に到達しない。
【０００８】
＜第２構想＞
ラビリンス通路は、冷却水や切り屑が外側開口から流入しても流通し難くする。内側開口に到達し難くする。
そのため、ラビリンス通路は、流路の抵抗を増やす。折曲点と流路長を増加する。具体的には、シール回転環は、外周壁部の外周面の前端部に鐶部を同心状に突出する。シール静止環は、外周壁部の内周面の前端部に段状凹部を同心状に形成する。鐶部は、段状凹部に隙間を設けて挿入する。その隙間で最外周前端の軸方向通路と最外周の径方向通路を形成する。最外周前端の軸方向通路は、前端を外側開口にする。即ち、従来例のラビリンス通路９１において、最外周の軸方向通路９２は、前端部が外周側と前側に折り曲げられる。折曲点が２点増加する。流路長が最外周の径方向通路分増加する。外側開口９３が最外周の径方向通路長分外周側に移動する。
【０００９】
＜第３構想＞
ラビリンス通路は、外側開口に冷却水や切り屑が流入し易くしない。
そのため、外側開口は、開口方向に向かって拡大しない。例えば、前端を外側開口にする軸方向通路は、前端の外側開口を含めて、流路の断面積を均等にする。
【課題を解決するための手段】
【００１０】
１．センタ軸は、外周筒状体内に同心状に軸受けし、尖端部を外周筒状体の前側に突出し、外周筒状体の前端との間にラビリンスシールを嵌め込んで取り付けている回転センタにおいて、
ラビリンスシールは、シール静止環を外周筒状体の前端に嵌め込んで固定し、シール回転環をセンタ軸に嵌合して固定し、シール回転環とシール静止環を前後に配置し、
シール回転環は、周溝部を後向きに開口し、周溝部の外周側を外周壁部に、周溝部の内周側を内周壁部にし、
シール静止環は、周溝部を前向きに開口し、周溝部の外周側を外周壁部に、周溝部の内周側を内周壁部にし、
シール回転環の周溝部には隙間を設けてシール静止環の内周壁部を挿入し、シール静止環の周溝部には隙間を設けてシール回転環の外周壁部を挿入し、それらの隙間で、軸方向通路と径方向通路を交互に接続して複数回折れ曲がるラビリンス通路を形成し、
ラビリンス通路は、前端を大気に開口して外側開口にし、後端を外周筒状体内の軸受の隙間に連通して内側開口にし、外側開口をシール回転環の前面の外周縁に隣接しており、
回転センタの使用中、シール回転環の前面に付着した冷却水や切り屑が、回転中のシール回転環に連れて回転する一方、その回転による遠心力を受けてシール回転環の前面の外周縁に向かって流れるラビリンスシールであって、
シール回転環の前面は、遠心力を受けて外周縁に向かう冷却水や切り屑の流れが登る登り坂を形成し、登り坂を登り終えた冷却水や切り屑の流れがシール回転環から離れる構成にしていることを特徴とする回転センタのラビリンスシール。
２．上記１の回転センタのラビリンスシールにおいて、
登り坂は、シール回転環の前面に同心状に形成した円錐面の斜面にし、
円錐面の斜面は、前側に向かって拡大し、外周縁を内周縁より前側に配置していることを特徴とする。
３．上記１又は２の回転センタのラビリンスシールにおいて、
シール回転環は外周壁部の外周面の前端部に鐶部を同心状に突出し、シール静止環は外周壁部の内周面の前端部に段状凹部を同心状に形成し、
鐶部は段状凹部に隙間を設けて挿入し、その隙間で最外周前端の軸方向通路と最外周の径方向通路を形成し、
最外周前端の軸方向通路は、前端をラビリンス通路の外側開口にしていることを特徴とする。
４．上記１、２又は３の回転センタのラビリンスシールにおいて、
ラビリンス通路の外側開口は、開口方向に向かって拡大していないことを特徴とする。
５．上記１〜４のいずれかの回転センタのラビリンスシールにおいて、
前端を外側開口にする軸方向通路は、前端の外側開口を含めて、流路の断面積を均等にしていることを特徴とする。
【発明の効果】
【００１１】
回転センタのラビリンスシールは、密封効果が高い。
【図面の簡単な説明】
【００１２】
【図１】本発明の実施形態の第１例におけるラビリンスシール付き回転センタの半断面側面図。
【図２】同回転センタの軸受嵌込部の拡大縦断面図。
【図３】同軸受嵌込部の正面図。
【図４】同ラビリンスシールの拡大縦断面図。
【図５】実施形態の第２例におけるラビリンスシール付き回転センタの軸受嵌込部の拡大縦断面図。
【図６】同軸受嵌込部の正面図。
【図７】同ラビリンスシールの拡大縦断面図。
【図８】第３例におけるラビリンスシール付き回転センタの軸受嵌込部の拡大縦断面図。
【図９】同ラビリンスシールの拡大縦断面図。
【図１０】比較実験例の実験装置の部分縦断側面図。
【図１１】従来例のラビリンスシール付き回転センタの半断面側面図。
【図１２】同回転センタの軸受嵌込部の拡大縦断面図。
【図１３】同軸受嵌込部の正面図。
【発明を実施するための形態】
【００１３】
［第１例（図１〜図４参照）］
本例のラビリンスシール付き回転センタは、図１に示すように、センタ軸１を外周筒状体６内に同心状に配置して径方向と軸方向に軸受けしている。センタ軸１は、尖端部２を外周筒状体６の前側に突出している。外周筒状体６の前端とセンタ軸１との間には、アキシアルラビリンスシール１１を取り付けている。
【００１４】
外周筒状体６は、前部の径を拡大して軸受嵌込部７を形成している。軸受嵌込部７とセンタ軸１との間には、複数の玉軸受８、９を嵌め込んで取り付けている。後端の玉軸受８は、スラスト軸受にしている。スラスト軸受前側の複数の玉軸受９は、アンギュラ軸受にしている。外周筒状体６の後端部とセンタ軸１の後端部との間には、ころ軸受１０を嵌め込んで取り付けている。ころ軸受１０は、ラジアル軸受にしている。
【００１５】
ラビリンスシール１１は、シール静止環１２とシール回転環２１で構成している。シール静止環１２は、外周筒状体の軸受嵌込部７の前端に嵌め込んで同心状に固定している。シール回転環２１は、センタ軸１に嵌合して同心状に固定している。シール静止環１２は、アンギュラ軸受８の前隣に配置している。シール回転環２１は、シール静止環１２の前隣に配置している。
【００１６】
図２〜図４に示すように、シール静止環１２は、断面形状を概略コの字形にして周溝部１３を前向きに開口している。そして、周溝部１３の後側を後側輪板部１４にし、周溝部１３の外周側を外周壁部１５に、周溝部１３の内周側を内周壁部１６にしている。シール回転環２１は、断面形状を概略コの字形にして周溝部２２を後向きに開口している。そして、周溝部２２の前側を前側輪板部２３にし、周溝部２２の外周側を外周壁部２４に、周溝部２２の内周側を内周壁部２５にしている。更に、シール回転環２１は、外周壁部２４の外周面の前端部に鐶部２６を同心状に突出している。シール静止環１２は、外周壁部１５の内周面の前端部に段状凹部１７を同心状に形成している。
【００１７】
シール回転環２１とシール静止環１２は、前後に同心状に組み合わせている。シール回転環の周溝部２２には、隙間を設けてシール静止環の内周壁部１６を挿入している。シール静止環の周溝部１３には、隙間を設けてシール回転環の外周壁部２４を挿入している。シール静止環の段状凹部１７には、隙間を設けてシール回転環の鐶部２６を挿入している。それらの隙間でラビリンス通路３１を形成している。ラビリンス通路３１は、軸方向通路と径方向通路を交互に連通して、複数回折れ曲がっている。鐶部２６と段状凹部１７との間の隙間で最外周前端の軸方向通路３２と最外周の径方向通路３４を形成している。最外周前端の軸方向通路３２は、前端を大気に開口して外側開口３３にしている。外側開口３３は、シール回転環２１の前面の外周縁に隣接している。また、ラビリンス通路３１は、後端をアンギュラ軸受９の外輪と内輪の間の隙間に連通して内側開口にしている。
【００１８】
シール回転環２１の前面は、円輪板形状の凹部２７を同心状に形成している。凹部２７は、断面形状を前広がりの台形状にして、外周面と内周面を円錐面の斜面にしている。外周面の斜面２８は、前側に向かって拡大する円錐面にし、外周縁を内周縁より前側に配置している。
【００１９】
回転センタ１の使用中、シール回転環２１の前面に付着した冷却水や切り屑は、回転中のシール回転環２１に連れて回転する。一方、その回転による遠心力を受けてシール回転環２１の前面の外周縁に向かってシール回転環２１の前面、凹部２７の底面を流れる。凹部２７の底面の流れは、図２と図４に矢印で示すように、凹部の外周面の斜面２８を登る。登り終えた流れは、その時の流れの延長方向、外周面の斜面２８の延長方向に飛び出す。即ち、シール回転環２１から離れる。ラビリンス通路の外側開口３３に到達しない。
【００２０】
要するに、外周面の斜面２８は、シール回転環２１の前面の外周縁から少し内周側に位置し、シール回転環２１の回転に基づく遠心力を受けてシール回転環２１の前面の外周縁に向かう冷却水や切り屑の流れが登る坂、登り坂を形成している。登り坂２８の存在で、回転センタ１の使用中、冷却水や切り屑がラビリンス通路の外側開口３３に流入し難くなる。
【００２１】
ラビリンス通路３１は、最外周前端の軸方向通路３２と最外周の径方向通路３４の存在で、折曲点と流路長が増加する。流通し難くなって内側開口に到達し難くなる。内側開口から流出し難くなる。
ラビリンス通路の外側開口３３は、前側に向かって拡大していない。前端を外側開口３３にする最外周前端の軸方向通路３２は、前端の外側開口３３を含めて、流路の断面積を均等にしている。外側開口３３に冷却水や切り屑が流入し易くない。
【００２２】
［第２例（図５〜図７参照）］
本例のラビリンスシール付き回転センタでは、図５〜図７に示すように、シール回転環２１の前面は、第１例におけるのと同様に、外周縁寄りに冷却水や切り屑の登り坂となる円錐面の斜面２８を形成している。ところが、第１例におけるのと異なり、内周縁寄りには円錐面の斜面を形成していない。
【００２３】
シール回転環２１の前面は、第１例におけるのと同様な登り坂となる円錐面の斜面２８の内周側の全面を、平面４１にし、登り坂２８の外周側の平面より後側に配置している。即ち、シール回転環２１の前面は、登り坂２８の内周側の平面４１を登り坂２８の外周側の平面より後側に配置して、２段状に形成している。シール回転環２１の前面をその外周縁に向かって流れる冷却水や切り屑から見れば、円錐面の斜面２８の内周側の平面４１が低地、円錐面の斜面２８の外周側の平面が高地ということになる。
【００２４】
回転センタ１の使用中、シール回転環２１の前面に付着した冷却水や切り屑は、回転中のシール回転環２１に連れて回転する一方、その回転による遠心力を受けてシール回転環２１の前面をその外周縁に向かって流れる。登り坂となる円錐面の斜面２８の内周側の平面、低地４１の流れは、図５と図７に矢印で示すように、登り坂となる円錐面の斜面２８を登る。登り終えた流れは、その時の流れの延長方向、登り坂となる円錐面の斜面２８の延長方向に飛び出す。登り坂となる円錐面の斜面２８の外周側の平面、高地を流れない。即ち、シール回転環２１から離れる。ラビリンス通路の外側開口３３に到達しない。
その他の点は、第１例におけるのと同様である。第１例におけるのと同様な部分には、図中、第１例におけるのと同一の符号を付ける。
【００２５】
［第３例（図８と図９参照）］
本例のラビリンスシール付き回転センタでは、図８と図９に示すように、シール回転環２１の前面は、第２例におけるのと同様に、外周縁から少し内周側に冷却水や切り屑の登り坂となる円錐面の斜面２８を形成している。ところが、第２例におけるのと異なり、登り坂となる円錐面の斜面２８の内周側の全面を、冷却水や切り屑が降る円錐面の緩斜面４６、緩い下り坂にしている。
【００２６】
回転センタ１の使用中、シール回転環２１の前面に付着した冷却水や切り屑は、回転中のシール回転環２１に連れて回転する一方、その回転による遠心力を受けてシール回転環２１の前面をその外周縁に向かって流れる。その流れは、図８と図９に矢印で示すように、緩い下り坂となる円錐面の緩斜面４６を降り、次に、登り坂となる円錐面の斜面２８を登る。登り終えた流れは、その時の流れの延長方向、登り坂となる円錐面の斜面２８の延長方向に飛び出す。即ち、シール回転環２１から離れる。ラビリンス通路の外側開口３３に到達しない。
その他の点は、第２例におけるのと同様である。第２例におけるのと同様な部分には、図中、第２例におけるのと同一の符号を付ける。
【００２７】
［密封効果の比較実験例（図１０参照）］
＜実験装置＞
実験装置は、図１０に示すように、改造回転センタ５１の前側にシール嵌込筒状体５６を介して被験ラビリンスシール５７を設置し、被験ラビリンスシール５７の前面に水を掛け、被験ラビリンスシール５７を通過した水をシール嵌込筒状体５６内に貯める構成にしている。
改造回転センタ５１は、回転軸５２を外周筒状体５４内に同心状に配置して径方向と軸方向に軸受けしている。外周筒状体５４は、シール嵌込筒状体５６を前側に同心状に突出して着脱可能に取り付けている。シール嵌込筒状体５６は、透明合成樹脂製にし、内部を観察可能にしている。また、円筒部の前端内に円環部を同心状に固定して構成している。
回転軸５２は、外周筒状体５３の前側に突出した前側突出部をシール嵌込筒状体５６の円環部内に同心状に貫通している。シール嵌込筒状体５６の円環部と回転軸５２の前側突出部との間に被験ラビリンスシール５７を着脱可能に同心状に取り付けている。回転軸５２の前側突出部は、被験ラビリンスシール５７の前側に突出した前端面に中心孔５３を形成している。
旋削工作機は、主軸台６１と心押台６２との間の上側に冷却水供給管６３を配置し、主軸台６１に装着したセンタ６４を回転する構成にしている。心押台６２には、改造回転センタ５１を装着している。改造回転センタの回転軸前端面の中心孔５３には、センタ６４の尖端を差し込んで押し付けている。センタ６４を回転すると、改造回転センタの回転軸５２が回転し、回転軸５２に固定した被験ラビリンスシール５７のシール回転環が回転する。被験ラビリンスシール５７のシール静止環は、シール嵌込筒状体５６を介して改造回転センタの外周筒状体５４に固定している。静止している。
【００２８】
＜実験方法＞
センタ６４を設定速度で回転して、被験ラビリンスシール５７のシール回転環を回転する。水を冷却水供給管６３から被験ラビリンスシール５７の前面に設定流量で噴き付ける。設定時間経過後、冷却水供給管６３の給水とセンタ６４の回転を停止する。シール嵌込筒状体５６内に流入した水の量を測定する。その水量が被験ラビリンスシール５７の通過水量になる。通過水量が少ないと、被験ラビリンスシール５７の密封効果が高い、と判定する。
センタ６４の回転速度〈ｒｐｍ〉は、２０００、１８００、１０００、５００、２００、１００、又は、０に設定する。冷却水供給管６３の流量は、一定量に設定する。給水時間は、１分に設定する。
【００２９】
＜実験結果＞
図１１〜図１３に示した従来例のラビリンスシール７１では、センタ６４の回転速度〈ｒｐｍ〉が２０００、１８００の各場合に、シール嵌込筒状体５６内に流入した通過水が少量であった。１０００、５００、２００、１００、０の各場合に、通過水が多量になった。シール嵌込筒状体５６内の通過水は、水位がラビリンスシール７１のラビリンス通路の内側開口位置に近くなった。
図１〜図４に示した第１例のラビリンスシール１１では、センタ６４の回転速度〈ｒｐｍ〉が２０００〜０の各場合に、通過水が零か微小量であった。
第１例のラビリンスシール１１は、従来例７１に比較して密封効果が高い。
【００３０】
［変形例］
本発明は、上記の実施形態に限定されない。次のような変形が例示される。
１．上記の実施形態において、外周筒状体６の前部、軸受嵌込部７とセンタ軸１との間に取り付けた軸受は、アンギュラ軸受９とスラスト軸受８にしているが、アンギュラ軸受のみにする。又は、ラジアル軸受とスラスト軸受にする。
２．上記の実施形態において、外周筒状体６の前部、軸受嵌込部７とセンタ軸１との間に取り付けた軸受は、玉軸受８、９にしているが、ころ軸受にする。又は、玉軸受ところ軸受にする。
３．上記の実施形態において、センタ軸の尖端部２は、図１に示すような形状にしているが、その他の形状にする。
４．上記の実施形態において、回転センタは、単独型にしているが、センタ回転式心押台の心押軸に内蔵している内蔵型の回転センタにする。又は、その内蔵型回転センタを心押軸に着脱可能にした着脱式の内蔵型回転センタにする。
【符号の説明】
【００３１】
実施形態（図１〜図９）
１  センタ軸
２  尖端部
６  外周筒状体
７  軸受嵌込部
８  玉軸受、スラスト軸受
９  玉軸受、アンギュラ軸受
１０  ころ軸受、ラジアル軸受
１１  アキシアルラビリンスシール、ラビリンスシール
１２  シール静止環
１３  周溝部
１４  後側輪板部
１５  外周壁部
１６  内周壁部
１７  段状凹部
２１  シール回転環
２２  周溝部
２３  前側輪板部
２４  外周壁部
２５  内周壁部
２６  鐶部
２７  凹部
２８  外周面の斜面、円錐面の斜面、登り坂
３１  ラビリンス通路
３２  最外周前端の軸方向通路
３３  外側開口
３４  最外周の径方向通路
４１  登り坂の内周側の平面、低地
４６  登り坂の内周側の円錐面の緩斜面、緩い下り坂
実験装置（図１０）
５１  改造回転センタ
５２  回転軸
５３  中心孔
５４  外周筒状体
５６  シール嵌込筒状体
５７  被験ラビリンスシール
６１  主軸台
６２  心押台
６３  冷却水供給管
６４  センタ
従来例（図１１〜図１３）
７１  アキシアルラビリンスシール、ラビリンスシール
７２  シール静止環
７３  周溝部
７５  外周壁部
７６  内周壁部
８１  シール回転環
８２  周溝部
８４  外周壁部
８５  内周壁部
９１  ラビリンス通路
９２  最外周の軸方向通路
９３  外側開口
【図１】
2018108614.tif 000003
【図２】
2018108614.tif 000004
【図３】
2018108614.tif 000005
【図４】
2018108614.tif 000006
【図５】
2018108614.tif 000007
【図６】
2018108614.tif 000008
【図７】
2018108614.tif 000009
【図８】
2018108614.tif 000010
【図９】
2018108614.tif 000011
【図１０】
2018108614.tif 000012
【図１１】
2018108614.tif 000013
【図１２】
2018108614.tif 000014
【図１３】
2018108614.tif 000015